(57)【要約】【課題】  受信側装置において送信電力制御における送信電力値の決定又はデータレートの決定をすること。【解決手段】  通信装置２は、１のデータレートを選択する変調方式制御部１４を含み、通信装置３に対し、前記選択されるデータレートの通信信号を送信し、通信装置３は、所要受信電力データを記憶する記憶部３５と、受信される通信信号の受信電力データを取得し、通信装置２の最大送信可能電力と、通信装置２が通信信号を送信した際の送信電力と、の差を示す送信電力余力データを取得し、送信電力余力データと、受信電力データと、に基づいて予測される最大受信電力データと、所要受信電力データと、に基づいて、データレートを決定する回線品質算出部３４を含み、該データレートを通信装置２に対して送信し、通信装置２は、該データレートに応じてデータレートを選択する、ことを特徴とする。【選択図】図１
2006101345.tif 000002
【特許請求の範囲】
【請求項１】
第１通信装置と、第２通信装置と、が通信を行う通信システムにおいて、
前記第１通信装置は、
複数のデータレートから、１のデータレートを選択するデータレート選択手段と、
前記第２通信装置に対し、前記選択されるデータレートの通信信号を送信する通信信号送信手段と、
を含み、
前記第２通信装置は、
前記複数のデータレートにそれぞれ対応付けて受信電力を示す受信電力データである所要受信電力データを記憶する所要受信電力データ記憶手段と、
前記送信される通信信号を受信する受信手段と、
前記受信される通信信号の受信電力を示す受信電力データを取得する受信電力データ取得手段と、
前記通信信号送信手段の最大送信可能電力と、前記通信信号送信手段により通信信号を送信した際の送信電力と、の差を示す送信電力余力データを取得する送信電力余力データ取得手段と、
前記取得される送信電力余力データと、前記取得される受信電力データと、に基づいて予測される最大受信電力データと、前記所要受信電力データと、に基づいて、前記データレート選択手段により選択されるべきデータレートを決定するデータレート決定手段と、
前記決定されるデータレートを示すデータレート情報を、前記第１通信装置に対して送信するデータレート情報送信手段と、
を含み、
前記第１通信装置は、
前記送信されるデータレート情報を受信するデータレート情報受信手段、
をさらに含み、
前記データレート選択手段は、前記データレート情報により示されるデータレートに応じてデータレートを選択する、
ことを特徴とする通信システム。
【請求項２】
請求項１に記載の通信システムにおいて、
前記データレート決定手段は、
前記受信された通信信号のデータレートを取得するデータレート取得手段と、
前記記憶される所要受信電力データから、前記取得されたデータレートに対応付けて前記記憶される所要受信電力データである現レート受信電力データを取得する現レート受信電力データ取得手段と、
を含み、
前記データレート決定手段は、前記最大受信電力データと、前記所要受信電力データである前記現レート受信電力データと、に基づいて、前記データレート選択手段により選択されるべきデータレートを決定する、
ことを特徴とする通信システム。
【請求項３】
請求項２に記載の通信システムにおいて、
前記受信電力データ取得手段は、所定時間にわたり前記受信電力データを取得し、
前記データレート決定手段は、前記取得される送信電力余力データと、前記所定時間にわたり取得される受信電力データのうち最小の受信電力データと、に基づいて予測される前記最大受信電力データと、前記現レート受信電力データと、に基づいて、前記データレート選択手段により選択されるべきデータレートを決定する、
ことを特徴とする通信システム。
【請求項４】
請求項３に記載の通信システムにおいて、
前記データレート決定手段は、前記最大受信電力データが前記現レート受信電力データと比較して小さい場合に、前記データレート選択手段により選択されるべきデータレートがより低速なデータレートに変更されるようデータレートを決定する、
ことを特徴とする通信システム。
【請求項５】
請求項３又は４に記載の通信システムにおいて、
前記データレート決定手段は、
前記取得されるデータレートより高速なデータレートに対応付けて前記記憶される所要受信電力データである高レート受信電力データを取得する高レート受信電力データ取得手段、
をさらに含み、
前記データレート決定手段は、前記最大受信電力データが前記高レート受信電力データと比較して大きい場合に、前記データレート選択手段により選択されるべきデータレートがより高速なデータレートに変更されるようデータレートを決定する、
ことを特徴とする通信システム。
【請求項６】
請求項１乃至５のいずれかに記載の通信システムにおいて、
前記第２通信装置は、
前記取得される送信電力余力データと、前記取得される受信電力データと、に基づいて予測される最大受信電力データと、前記所要受信電力データと、に基づいて、前記通信信号送信手段により通信信号が送信される際の送信電力を決定する送信電力決定手段と、
前記決定される送信電力の変更量を示す送信電力変更量データを、前記第１通信装置に対して送信する送信電力変更量データ送信手段と、
をさらに含み、
前記第１通信装置は、
前記送信される送信電力変更量データを受信する送信電力変更量データ受信手段、
をさらに含み、
前記通信信号送信手段は、前記送信電力変更量データにより示される送信電力の変更量に応じた送信電力で、通信信号を送信する、
ことを特徴とする通信システム。
【請求項７】
請求項１乃至６のいずれかに記載の通信システムにおいて、
前記第１通信装置は、
前記第２通信装置に対し、前記通信信号送信手段の最大送信可能電力と、前記通信信号送信手段により通信信号を送信した際の送信電力と、の差を示す送信電力余力データを送信する送信電力余力データ送信手段、
をさらに含み、
前記送信電力余力データ取得手段は、前記送信される送信電力余力データを受信することにより、送信電力余力データを取得する、
ことを特徴とする通信システム。
【請求項８】
請求項１乃至６のいずれかに記載の通信システムにおいて、
前記第１通信装置は、
前記第２通信装置に対し、前記通信信号送信手段の最大送信可能電力を送信する最大送信可能電力送信手段と、
前記第２通信装置に対し、前記通信信号送信手段により通信信号を送信した際の送信電力を送信する送信電力送信手段と、
をさらに含み、
前記送信電力余力データ取得手段は、前記送信される最大送信可能電力と送信電力とを受信し、該最大送信可能電力と該送信電力の差を算出することにより、送信電力余力データを取得する、
ことを特徴とする通信システム。
【請求項９】
複数のデータレートから、１のデータレートを選択するデータレート選択手段と、
対向通信装置に対し、前記選択されるデータレートの通信信号を送信する通信信号送信手段と、
前記対向通信装置に対し、前記通信信号送信手段の最大送信可能電力と、前記通信信号送信手段により通信信号を送信した際の送信電力と、の差を示す送信電力余力データを送信する送信電力余力データ送信手段と、
対向通信装置により送信されるデータレート情報を受信するデータレート情報受信手段と、
を含み、
前記データレート選択手段は、前記データレート情報により示されるデータレートに応じてデータレートを選択する、
ことを特徴とする通信装置。
【請求項１０】
複数のデータレートから、１のデータレートを選択するデータレート選択手段と、
対向通信装置に対し、前記選択されるデータレートの通信信号を送信する通信信号送信手段と、
前記対向通信装置に対し、前記通信信号送信手段の最大送信可能電力を送信する最大送信可能電力送信手段と、
前記対向通信装置に対し、前記通信信号送信手段により通信信号を送信した際の送信電力を送信する送信電力送信手段と、
対向通信装置により送信されるデータレート情報を受信するデータレート情報受信手段と、
を含み、
前記データレート選択手段は、前記データレート情報により示されるデータレートに応じてデータレートを選択する、
ことを特徴とする通信装置。
【請求項１１】
複数のデータレートにそれぞれ対応付けて受信電力を示す受信電力データである所要受信電力データを記憶する所要受信電力データ記憶手段と、
対向通信装置により送信される通信信号を受信する受信手段と、
前記受信される通信信号の受信電力を示す受信電力データを取得する受信電力データ取得手段と、
前記対向通信装置の最大送信可能電力と、前記対向通信装置が通信信号を送信した際の送信電力と、の差を示す送信電力余力データを取得する送信電力余力データ取得手段と、
前記取得される送信電力余力データと、前記取得される受信電力データと、に基づいて予測される最大受信電力データと、前記所要受信電力データと、に基づいて、前記データレート選択手段により選択されるべきデータレートを決定するデータレート決定手段と、
前記決定されるデータレートを示すデータレート情報を、前記対向通信装置に対して送信するデータレート情報送信手段と、
を含むことを特徴とする通信装置。
【請求項１２】
第１通信装置と、第２通信装置と、が通信を行う通信システムにおいて送信方法制御を行う送信方法制御方法であって、
前記第１通信装置において、複数のデータレートから、１のデータレートを選択するデータレート選択ステップと、
前記第１通信装置から前記第２通信装置に対し、前記選択されるデータレートの通信信号を送信する通信信号送信ステップと、
前記第２通信装置において、前記送信される通信信号を受信する受信ステップと、
前記第２通信装置において、前記受信される通信信号の受信電力を示す受信電力データを取得する受信電力データ取得ステップと、
前記第２通信装置において、前記通信信号送信ステップにおける最大送信可能電力と、前記通信信号送信ステップにおける通信信号を送信した際の送信電力と、の差を示す送信電力余力データを取得する送信電力余力データ取得ステップと、
前記第２通信装置において、前記取得される送信電力余力データと、前記取得される受信電力データと、に基づいて予測される最大受信電力データと、前記複数のデータレートにそれぞれ対応付けて受信電力を示す受信電力データである所要受信電力データを記憶する所要受信電力データ記憶手段により記憶される所要受信電力データと、に基づいて、前記データレート選択手段により選択されるべきデータレートを決定するデータレート決定ステップと、
前記第２通信装置から前記第１通信装置に対し、前記決定されるデータレートを示すデータレート情報を、前記第１通信装置に対して送信するデータレート情報送信ステップと、
を含み、
前記第１通信装置において、前記送信されるデータレート情報を受信するデータレート情報受信ステップと、
を含み、
前記データレート選択ステップにおいて、前記データレート情報により示されるデータレートに応じてデータレートを選択する、
ことを特徴とする送信方法制御方法。
【発明の詳細な説明】
【技術分野】
【０００１】
本発明は通信システム、通信装置及び送信方法制御方法に関し、特に受信側で送信方法を決定する技術に関する。
【背景技術】
【０００２】
移動体通信においては、送信電力制御や適応変調制御（リンクアダプテーション）などの技術が用いられることがある。これらの技術を適用することにより、電波伝搬環境の変動の激しい移動体通信において、通信品質を極力上げようとしている。
【０００３】
特許文献１には、送信電力制御の具体的な例が開示されている。特許文献１に開示されているように、通信品質を確保しつつ、通信装置の消費電力を抑え、かつ他の通信回線への影響を抑えるために送信電力を制御することは、従来から行われている。
【特許文献１】特開２００２−１９９４３７号公報
【発明の開示】
【発明が解決しようとする課題】
【０００４】
ここで、上記従来の方法では、受信側通信装置が受信した通信の回線品質状況を送信側通信装置に対して送信し、送信側装置は、受信される該回線品質状況に基づいて、送信電力制御やデータレートの変更制御（適応変調制御）を行っている。
【０００５】
しかしながら、このようにしているため、送信側通信装置において回線品質状況に基づいて適切な送信電力を算出する処理及び適切なデータレートを選定する処理を行わなければならず、送信側通信装置で行わなければならない処理が多くなる。特に移動体通信装置における移動局装置が該送信側通信装置となる場合の処理量の多さは、移動局装置の低消費電力化の上で大きな課題となる。
【０００６】
本発明は、上記課題を解決するためになされたもので、その目的の一つは、受信側装置において送信電力制御における送信電力値の決定又はデータレートの決定をすることを可能にする通信システム、通信装置及び送信方法制御方法を提供することにある。
【課題を解決するための手段】
【０００７】
上記課題を解決するための本発明は、第１通信装置と、第２通信装置と、が通信を行う通信システムにおいて、前記第１通信装置は、複数のデータレートから、１のデータレートを選択するデータレート選択手段と、前記第２通信装置に対し、前記選択されるデータレートの通信信号を送信する通信信号送信手段と、を含み、前記第２通信装置は、前記複数のデータレートにそれぞれ対応付けて受信電力を示す受信電力データである所要受信電力データを記憶する所要受信電力データ記憶手段と、前記送信される通信信号を受信する受信手段と、前記受信される通信信号の受信電力を示す受信電力データを取得する受信電力データ取得手段と、前記通信信号送信手段の最大送信可能電力と、前記通信信号送信手段により通信信号を送信した際の送信電力と、の差を示す送信電力余力データを取得する送信電力余力データ取得手段と、前記取得される送信電力余力データと、前記取得される受信電力データと、に基づいて予測される最大受信電力データと、前記所要受信電力データと、に基づいて、前記データレート選択手段により選択されるべきデータレートを決定するデータレート決定手段と、前記決定されるデータレートを示すデータレート情報を、前記第１通信装置に対して送信するデータレート情報送信手段と、を含み、前記第１通信装置は、前記送信されるデータレート情報を受信するデータレート情報受信手段、をさらに含み、前記データレート選択手段は、前記データレート情報により示されるデータレートに応じてデータレートを選択する、ことを特徴とする。
【０００８】
このようにすることにより、第２通信装置において第１通信装置から送信される通信信号のデータレートを決定することができる。これにより、第１通信装置の低消費電力化を図ることもできる。
【０００９】
また、上記通信システムにおいて、前記データレート決定手段は、前記受信された通信信号のデータレートを取得するデータレート取得手段と、前記記憶される所要受信電力データから、前記取得されたデータレートに対応付けて前記記憶される所要受信電力データである現レート受信電力データを取得する現レート受信電力データ取得手段と、を含み、前記データレート決定手段は、前記最大受信電力データと、前記所要受信電力データである前記現レート受信電力データと、に基づいて、前記データレート選択手段により選択されるべきデータレートを決定する、こととしてもよい。このようにすれば、データレートごとに記憶される受信電力に基づいて、第１通信装置から送信される通信信号のデータレートを決定することができる。
【００１０】
また、上記通信システムにおいて、前記受信電力データ取得手段は、所定時間にわたり前記受信電力データを取得し、前記データレート決定手段は、前記取得される送信電力余力データと、前記所定時間にわたり取得される受信電力データのうち最小の受信電力データと、に基づいて予測される前記最大受信電力データと、前記現レート受信電力データと、に基づいて、前記データレート選択手段により選択されるべきデータレートを決定する、こととしてもよい。このようにすることにより、データレート変更後も確実に通信を行うことができるようになる。
【００１１】
また、上記通信システムにおいて、前記データレート決定手段は、前記最大受信電力データが前記現レート受信電力データと比較して小さい場合に、前記データレート選択手段により選択されるべきデータレートがより低速なデータレートに変更されるようデータレートを決定する、こととしてもよい。このようにすれば、データレートをより低速なデータレートに変更することができる。
【００１２】
また、上記通信システムにおいて、前記データレート決定手段は、前記取得されるデータレートより高速なデータレートに対応付けて前記記憶される所要受信電力データである高レート受信電力データを取得する高レート受信電力データ取得手段、をさらに含み、前記データレート決定手段は、前記最大受信電力データが前記高レート受信電力データと比較して大きい場合に、前記データレート選択手段により選択されるべきデータレートがより高速なデータレートに変更されるようデータレートを決定する、こととしてもよい。このようにすれば、データレートをより高速なデータレートに変更することができる。
【００１３】
また、上記通信システムにおいて、前記第２通信装置は、前記取得される送信電力余力データと、前記取得される受信電力データと、に基づいて予測される最大受信電力データと、前記所要受信電力データと、に基づいて、前記通信信号送信手段により通信信号が送信される際の送信電力を決定する送信電力決定手段と、前記決定される送信電力の変更量を示す送信電力変更量データを、前記第１通信装置に対して送信する送信電力変更量データ送信手段と、をさらに含み、前記第１通信装置は、前記送信される送信電力変更量データを受信する送信電力変更量データ受信手段、をさらに含み、前記通信信号送信手段は、前記送信電力変更量データにより示される送信電力の変更量に応じた送信電力で、通信信号を送信する、こととしてもよい。このようにすれば、第２通信装置において第１通信装置から送信される通信信号の送信電力も決定することができる。
【００１４】
また、上記通信システムにおいて、前記第１通信装置は、前記第２通信装置に対し、前記通信信号送信手段の最大送信可能電力と、前記通信信号送信手段により通信信号を送信した際の送信電力と、の差を示す送信電力余力データを送信する送信電力余力データ送信手段、をさらに含み、前記送信電力余力データ取得手段は、前記送信される送信電力余力データを受信することにより、送信電力余力データを取得する、こととしてもよい。
【００１５】
また、上記通信システムにおいて、前記第１通信装置は、前記第２通信装置に対し、前記通信信号送信手段の最大送信可能電力を送信する最大送信可能電力送信手段と、前記第２通信装置に対し、前記通信信号送信手段により通信信号を送信した際の送信電力を送信する送信電力送信手段と、をさらに含み、前記送信電力余力データ取得手段は、前記送信される最大送信可能電力と送信電力とを受信し、該最大送信可能電力と該送信電力の差を算出することにより、送信電力余力データを取得する、こととしてもよい。
【００１６】
また、本発明に係る通信装置は、複数のデータレートから、１のデータレートを選択するデータレート選択手段と、対向通信装置に対し、前記選択されるデータレートの通信信号を送信する通信信号送信手段と、前記対向通信装置に対し、前記通信信号送信手段の最大送信可能電力と、前記通信信号送信手段により通信信号を送信した際の送信電力と、の差を示す送信電力余力データを送信する送信電力余力データ送信手段と、対向通信装置により送信されるデータレート情報を受信するデータレート情報受信手段と、を含み、前記データレート選択手段は、前記データレート情報により示されるデータレートに応じてデータレートを選択する、ことを特徴とする。
【００１７】
また、本発明の別の一態様に係る通信装置は、複数のデータレートから、１のデータレートを選択するデータレート選択手段と、対向通信装置に対し、前記選択されるデータレートの通信信号を送信する通信信号送信手段と、前記対向通信装置に対し、前記通信信号送信手段の最大送信可能電力を送信する最大送信可能電力送信手段と、前記対向通信装置に対し、前記通信信号送信手段により通信信号を送信した際の送信電力を送信する送信電力送信手段と、対向通信装置により送信されるデータレート情報を受信するデータレート情報受信手段と、を含み、前記データレート選択手段は、前記データレート情報により示されるデータレートに応じてデータレートを選択する、ことを特徴とする。
【００１８】
また、本発明のさらに別の一態様に係る通信装置は、複数のデータレートにそれぞれ対応付けて受信電力を示す受信電力データである所要受信電力データを記憶する所要受信電力データ記憶手段と、対向通信装置により送信される通信信号を受信する受信手段と、前記受信される通信信号の受信電力を示す受信電力データを取得する受信電力データ取得手段と、前記対向通信装置の最大送信可能電力と、前記対向通信装置が通信信号を送信した際の送信電力と、の差を示す送信電力余力データを取得する送信電力余力データ取得手段と、前記取得される送信電力余力データと、前記取得される受信電力データと、に基づいて予測される最大受信電力データと、前記所要受信電力データと、に基づいて、前記データレート選択手段により選択されるべきデータレートを決定するデータレート決定手段と、前記決定されるデータレートを示すデータレート情報を、前記対向通信装置に対して送信するデータレート情報送信手段と、を含むことを特徴とする。
【００１９】
また、本発明に係る送信方法制御方法は、第１通信装置と、第２通信装置と、が通信を行う通信システムにおいて送信方法制御を行う送信方法制御方法であって、前記第１通信装置において、複数のデータレートから、１のデータレートを選択するデータレート選択ステップと、前記第１通信装置から前記第２通信装置に対し、前記選択されるデータレートの通信信号を送信する通信信号送信ステップと、前記第２通信装置において、前記送信される通信信号を受信する受信ステップと、前記第２通信装置において、前記受信される通信信号の受信電力を示す受信電力データを取得する受信電力データ取得ステップと、前記第２通信装置において、前記通信信号送信ステップにおける最大送信可能電力と、前記通信信号送信ステップにおける通信信号を送信した際の送信電力と、の差を示す送信電力余力データを取得する送信電力余力データ取得ステップと、前記第２通信装置において、前記取得される送信電力余力データと、前記取得される受信電力データと、に基づいて予測される最大受信電力データと、前記複数のデータレートにそれぞれ対応付けて受信電力を示す受信電力データである所要受信電力データを記憶する所要受信電力データ記憶手段により記憶される所要受信電力データと、に基づいて、前記データレート選択手段により選択されるべきデータレートを決定するデータレート決定ステップと、前記第２通信装置から前記第１通信装置に対し、前記決定されるデータレートを示すデータレート情報を、前記第１通信装置に対して送信するデータレート情報送信ステップと、を含み、前記第１通信装置において、前記送信されるデータレート情報を受信するデータレート情報受信ステップと、を含み、前記データレート選択ステップにおいて、前記データレート情報により示されるデータレートに応じてデータレートを選択する、ことを特徴とする。
【発明を実施するための最良の形態】
【００２０】
本発明の実施の形態について、図面を参照しながら説明する。
【００２１】
本実施の形態に係る通信システム１は、図１に示すように、通信装置２と通信装置３とが無線通信を行うための通信システムである。より具体的には、例えば通信装置２が移動体通信システムにおける移動局装置、通信装置３が移動体通信システムにおける基地局装置である場合に適用することが好適である。なお同図は、通信装置２及び通信装置３の機能ブロックも表している。
【００２２】
通信装置２は、同図に示すように、送信ベースバンド処理部１０、送信ＲＦ処理部１２、変調方式制御部１４、余力データ算出部１６、受信ベースバンド処理部１８、受信ＲＦ処理部２０を機能的には含んで構成される。また、通信装置３は、受信ＲＦ処理部３０、受信ベースバンド処理部３２、回線品質算出部３４、記憶部３５、指示情報生成部３６、送信ベースバンド処理部３８、送信ＲＦ処理部４０を機能的には含んで構成される。
【００２３】
まず、通信信号を送受信する処理について説明する。通信信号とは、通信装置２から通信装置３に対して送信され、通信装置３で受信される信号又はその逆方向に送受信される信号であり、本実施の形態ではスーパーヘテロダイン方式により送受信される。通信信号を構成する送信データは、図示しない前段の処理部から送信ベースバンド処理部１０に入力される。送信ベースバンド処理部１０では、変調方式制御部１４から入力される変調方式にて該送信データの変調を行うことにより変調信号を得る。変調方式としては、例えばＱＰＳＫ、８ＰＳＫ、１６ＱＡＭなど、あらゆる変調方式を採用することができ、これらは一般にはデータレートが互いに異なり、後述する適応変調制御により、これらを変調方式制御部１４が変調方式を決定することにより適宜変更しながら使用することで、無線環境に応じて最適な変調方式で変調を行うことができるようにされている。また、該送信ベースバンド処理部１０は、変調信号の送信電力を制御する処理も行う。具体的には、変調信号の振幅を制御することにより、送信信号の送信電力を所与の送信電力に設定した上で送信ＲＦ処理部１２に対して変調信号を出力する。なお、該送信ベースバンド処理部１０は、余力データ算出部１６から余力データの入力も受ける。該余力データについては、送信ベースバンド処理部１０の処理としては、送信データと同様に通信信号として送信処理を行う。
【００２４】
そして、変調された信号は送信ＲＦ処理部１２に入力され、中間周波数への変換、無線周波数への変換及び増幅処理が行われる。そして無線信号として、通信装置２に備えられるアンテナから無線区間に送出される。
【００２５】
通信装置３では、通信装置２から送信された無線信号を、アンテナで受信する。そして該無線信号は受信ＲＦ処理部３０に入力され、中間周波数への変換、ベースバンド周波数への変換及び増幅処理が行われる。そしてベースバンド周波数に変換された受信信号を受信ベースバンド処理部３２に対して出力する。受信ベースバンド処理部３２では、入力された受信信号を、変調された変調方式で復調し、受信データとして図示しない後段の処理部に出力する。
【００２６】
受信ベースバンド処理部３２に入力された信号は、回線品質算出部３４において、そのＳＮＲ(Signal to Noise Ratio)が測定される。ＳＮＲは受信電力を示す受信電力データであり、より正確には受信電力と雑音との比を示している。
【００２７】
そして、受信電力データに応じて、通信装置３は、通信装置２に対して送信電力を増減するよう指示を行う。すなわち、記憶部３５には変調方式（データレート）ごとに目標受信電力データ（目標ＳＮＲ）が記憶されており、これに近づけるよう、送信電力を制御する。目標受信電力データとは、対応付けられる変調方式（データレート）による無線通信を行うにあたり、復調のために十分な受信電力を示すデータである。図４は、この送信電力制御処理の処理フロー図である。同図に示すように、まず回線品質算出部３４が通信信号の受信ＳＮＲ及び通信信号の変調方式を取得し（Ｓ１００）、受信ＳＮＲ及び通信信号の変調方式を指示情報生成部３６に出力する。指示情報生成部３６では、該入力される変調方式と対応付けて記憶される目標ＳＮＲを記憶部３５から読み出し（Ｓ１０２）、受信ＳＮＲが目標ＳＮＲより高いか否かを判断する（Ｓ１０４）。そして受信ＳＮＲが目標ＳＮＲより高い場合には、送信電力を低減することを決定し、該決定に従って送信電力低減指示を生成し、通信装置２に対して送信する（Ｓ１０６）。一方受信ＳＮＲが目標ＳＮＲより低い場合には、送信電力を増加することを決定し、該決定に従って送信電力増加指示を生成し、通信装置２に対して送信する（Ｓ１０８）。なお、受信ＳＮＲと目標ＳＮＲとが等しい場合には、送信電力を変更しないことを決定し、この場合には指示情報を作成しない。これらの処理は、所定時間ごとに行われ、所定時間ごとに送信電力を調整することが好適である。また、受信ＳＮＲが取得されるごとに行われるので、ここではリアルタイム処理と呼ぶことにする。
【００２８】
以上が通信装置２から通信装置３に対して通信信号が送信される際に行われる処理の概要である。通信装置３から通信装置２に対して通信信号が送信される際の処理も同様である。すなわち、送信データは通信装置３の送信ベースバンド処理部３８に入力されて上記同様の処理がされる。そして該処理により生成される変調信号が送信ＲＦ処理部４０に入力され、中間周波数への変換、無線周波数への変換及び増幅処理が行われる。そして該処理により生成される無線信号が通信装置３に備えられるアンテナから無線区間に送出される。通信装置２では、通信装置３から送信された無線信号を、アンテナで受信する。そして該無線信号は受信ＲＦ処理部２０に入力され、中間周波数への変換、ベースバンド周波数への変換及び増幅処理が行われる。そしてベースバンド周波数に変換された受信信号を受信ベースバンド処理部１８に対して出力する。受信ベースバンド処理部１８は、入力された受信信号を、変調された変調方式で復調し、受信データとして図示しない後段の処理部に出力する。なお、通信装置３の送信ベースバンド処理部３８における変調方式は、通信装置３に備えられる変調方式制御部（不図示）により決定され、制御される。
【００２９】
次に、送信方法制御処理について説明する。ここでは、通信装置２における通信信号の送信方法を制御する処理について説明するが、通信装置３における通信信号の送信方法についても同様の処理で制御することができる。
【００３０】
まず、余力データ算出部１６が余力データを算出し、送信データとして送信ベースバンド処理部１０に入力する。該余力データは、一例としては、最大可能送信電力及び現に送信時に使用された送信電力であり、別の一例としては、該最大可能送信電力と該現に送信時に使用された送信電力の差であるとすることができる。なお、現に送信時に使用された送信電力や最大可能送信電力と該現に送信時に使用された送信電力の差を余力データの少なくとも一部とする場合には、これらについての余力データは通信信号を送信する際に送信することとなるが、最大可能送信電力を余力データの一部とする場合には、最大可能送信電力についての余力データは予め送信しておくことができる。すなわち、最大送信可能電力は通信装置２のハードウェアにより決定される最大送信電力であるので、一度通信装置３に通知しておけば、通信装置３は該通知された最大送信可能電力を記憶部３５に、通信装置２ごとに該通信装置２と対応付けて記憶しておくことにより、上記ハードウェアが変更されない限り、該通信装置２の最大送信可能電力を読み出して取得することができる。
【００３１】
ここで、余力データの送受信処理について、処理フロー図を参照しながらより詳細に説明する。まず図５は、最大可能送信電力及び現に送信時に使用された送信電力として余力データを送受信する場合の処理のフローである。上述のように、最大送信可能電力は予め送信しておくことができる。このため、他の処理に先立って、送信側通信装置（ここでは通信装置２）は最大送信可能電力を受信側通信装置（ここでは通信装置３）に対して送信し（Ｓ１５０）、受信側通信装置は該送信された最大送信可能電力を受信し（Ｓ１６０）、記憶部３５に記憶する。
【００３２】
そして、送信側通信装置は、通信信号を送信する際の送信電力を受信側通信装置に対して送信する（Ｓ１５２）。受信側通信装置は該送信電力を受信し（Ｓ１６２）、事前に受信しておいた最大送信可能電力と送信電力の差を送信電力余力データとして取得する（Ｓ１６４）。一方送信側通信装置は送信電力を送信（Ｓ１５２）後、計時を開始し（Ｓ１５４）、所定時間が経過したか否かを判断し（Ｓ１５６）、所定時間が経過した場合に再度その時点での通信信号を送信する際の送信電力を送信する（Ｓ１５２）。このようにして、受信側通信装置は所定時間ごとに最新の送信電力余力データを取得することができる。
【００３３】
また図６は、最大可能送信電力と現に送信時に使用された送信電力の差として余力データを送受信する場合の処理のフローである。この場合には、送信側通信装置が図示しない記憶部において記憶する最大送信可能電力と、通信信号を送信する際の送信電力と、の差を計算することにより、送信電力余力データを算出し（Ｓ１７０）、該送信電力余力データを余力データとして受信側通信装置に対して送信する（Ｓ１７２）。そして、受信側通信装置は該送信された送信電力余力データを受信することにより取得する（Ｓ１７８）。そして、送信側通信装置は送信電力余力データを送信（Ｓ１７２）後、計時を開始し（Ｓ１７４）、所定時間が経過したか否かを判断し（Ｓ１７６）、所定時間が経過した場合に再度その時点での送信電力余力データを計算し（Ｓ１７０）、送信する（Ｓ１７２）。このようにしても、受信側通信装置は所定時間ごとに最新の送信電力余力データを取得することができる。
【００３４】
なお、受信側通信装置が余力データの送信を要求することを示す信号を送信側通信装置に対して送信することにより、該信号に応じて送信側通信装置から余力データを送信することとしてもよい。
【００３５】
これらの送信電力余力データ取得処理は、通信装置３では回線品質算出部３４により処理される。このようにして通信装置３の回線品質算出部３４は、上述のＳＮＲである受信電力データに加え、送信電力余力データをも取得することができる。これらは、通信装置２と通信装置３の間で行われる通信ごとに取得される。そして該送信電力余力データを指示情報生成部３６に対して出力する。
【００３６】
また、回線品質算出部３４は、上述のように、取得している受信電力データ及び通信信号の変調方式も指示情報生成部３６に対して出力している。
【００３７】
そして指示情報生成部３６は、受信電力データを、所定の時間にわたり取得し続け、記憶部３５に記憶する。すなわち、所定の時間間隔で複数の受信電力データを記憶する。そして、記憶された受信電力データと、最新の送信電力余力データとに基づいて、最大受信電力データを予測する。すなわち、通信装置２が最大可能送信電力で送信した場合に得られる受信電力データを予測する。より具体的には、最大受信電力データは、記憶される所定時間における受信電力データのうち、最小の受信電力データと、送信電力余力データと、の和であるとすることができる。すなわち、最悪な電波伝搬状況（受信電力が最小となる場合）で受信できる最大の受信電力が、最大受信電力データ（最大ＳＮＲ）となる。
【００３８】
また、指示情報生成部３６は、回線品質算出部３４から入力される変調方式（データレート）に対応付けて記憶部３５に記憶される所要受信電力データ（所要ＳＮＲ）（Ｓ１とする）及び回線品質算出部３４から入力される変調方式（データレート）より１ランク高速なデータレートである変調方式に対応付けて記憶部３５に記憶される所要受信電力データ（所要ＳＮＲ）（Ｓ２とする）を取得する。これらの所要受信電力データは、対応付けられる変調方式（データレート）による無線通信を行うにあたり、復調のために最低限必要となる受信電力を示すデータである。所要受信電力データは、上記目標受信電力データに比べ低い受信電力となる。
【００３９】
そして、最大受信電力データと所要受信電力データとに基づいて、通信信号が通信装置２において変調される際の変調方式及び送信電力を決定する。まずこの処理の考え方について、図２及び図３を参照しながら説明する。
【００４０】
図２及び図３は、時刻と受信ＳＮＲとの関係を示す図である。縦軸には変調方式ごとの所要ＳＮＲを記載している。ともに現在の変調方式がＱＰＳＫである場合について示しており、ＱＰＳＫより１ランク高速な変調方式が８ＰＳＫ、１ランク低速な変調方式がＢＰＳＫであるとしている。そして、図２は現在の変調方式であるＱＰＳＫの所要ＳＮＲが、時刻Ｔａから時刻Ｔｂの間である所定時間τ内の最小の受信ＳＮＲよりも小さい場合、図３は現在の変調方式であるＱＰＳＫの所要ＳＮＲが、時刻Ｔｃから時刻Ｔｄの間である所定時間τ内の最小の受信ＳＮＲよりも大きい場合を示している。図２において、所要受信ＳＮＲＳ２（８ＰＳＫでの所要ＳＮＲ）と所定時間τ内の最小の受信ＳＮＲとの差（同図Iの部分）が送信電力余力データより小さい場合には、変調方式を８ＰＳＫに変更し、かつ送信電力を少なくとも所要受信ＳＮＲＳ２と所定時間τ内の最小の受信ＳＮＲとの差に応じた量だけ上げることにより、１ランク高速なデータレートで通信を行うことができるようになる。一方図３においては、所要受信ＳＮＲＳ１（ＱＰＳＫでの所要ＳＮＲ）と所定時間τ内の最小の受信ＳＮＲとの差（同図IIの部分）が送信電力余力データより大きい場合には、現在の変調方式を維持できないため、１ランク低速なデータレートで通信を行うことが好適となる。
【００４１】
このように、最大受信電力データと所要受信電力データとに基づいて、通信信号が通信装置２において変調される際の変調方式及び送信電力を決定することができる。この処理は所定時間ごとに行われるので、バッチ処理と称する。該バッチ処理の具体的な処理について、図７を参照しながら説明する。図７は、通信装置３における処理を示すフロー図である。まず、通信装置３は計時を開始する（Ｓ２００）。そして、上述したリアルタイム処理を行う（Ｓ２０２）とともに、受信ＳＮＲを記憶部３５に記憶する（Ｓ２０４）。そして、所定時間が経過すると（Ｓ２０６）、記憶される所定時間内の受信ＳＮＲのうち、最小の受信ＳＮＲ（αとする）を取得する（Ｓ２０８）。さらに、上述の送信電力余力データ（ＸＸとする）を取得する処理を行う（Ｓ２１０）。そして、現在使用中の変調方式での所要ＳＮＲ（Ｓ１）と、１ランクデータレートの高い変調方式での所要ＳＮＲ（Ｓ２）を記憶部３５から読み出すことにより取得する（Ｓ２１２）。そして、ＸＸ＋α、すなわち上記最大ＳＮＲの値に応じた処理を行う（Ｓ２１４）。具体的には、最大ＳＮＲがＳ１より小さい場合には、現在の変調方式を維持できないため、１ランクデータレートの低い変調方式への変調方式変更指示を行う（Ｓ２１６）。また、最大ＳＮＲがＳ２より大きい場合には、より高速な通信を行うため、１ランクデータレートの高い変調方式への変調方式変更指示を行うとともに、該変調方式での所要ＳＮＲを満たすよう、送信電力をＳ２−αに応じた量だけ増加するよう、送信電力増加指示を行う（Ｓ２１８）。なお、ＸＸ＋αがＳ１以上Ｓ２以下の場合には、現在の変調方式が最適であると判断し、変調方式及び送信電力を変更しないことを決定する。なお、送信電力については、別途上述のリアルタイム処理において調整される。そして以上の指示は、指示情報生成部３６から通信信号として通信装置２に送信され、通信装置２は、該指示に従って送信電力の変更及び変調方式の変更を行う。
【００４２】
以上のようにすることにより、受信側装置において送信電力制御における送信電力値の決定又はデータレートの決定をすることができ、送信側装置における処理を減らすことができる。このため、送信側装置の低消費電力化、軽量化などに貢献することができる。
【図面の簡単な説明】
【００４３】
【図１】本発明の実施の形態に係る通信システムの構成及び機能ブロックを示す図である。
【図２】本発明の実施の形態に係る受信ＳＮＲの変化の説明図である。
【図３】本発明の実施の形態に係る受信ＳＮＲの変化の説明図である。
【図４】本発明の実施の形態に係るリアルタイム処理の処理フロー図である。
【図５】本発明の実施の形態に係る送信電力余力データ取得処理の処理フロー図である。
【図６】本発明の実施の形態に係る送信電力余力データ取得処理の処理フロー図である。
【図７】本発明の実施の形態に係るバッチ処理の処理フロー図である。
【符号の説明】
【００４４】
１  通信システム、２，３  通信装置、１０，３８  送信ベースバンド処理部、１２，４０  送信ＲＦ処理部、１４  変調方式制御部、１６  余力データ算出部、１８，３２  受信ベースバンド処理部、２０，３０  受信ＲＦ処理部、３４  回線品質算出部、３５  記憶部、３６  指示情報生成部。
【図１】
2006101345.tif 000003
【図２】
2006101345.tif 000004
【図３】
2006101345.tif 000005
【図４】
2006101345.tif 000006
【図５】
2006101345.tif 000007
【図６】
2006101345.tif 000008
【図７】
2006101345.tif 000009